(57)【要約】【課題】特別な操作を行うことなく携帯端末と相手機との間の通信モードを指定することのできる携帯端末やデータ通信システムを提供する。【解決手段】携帯端末１０の表面が制御装置３０に向く姿勢にすると携帯端末１０〜制御装置３０にデータを送信する送信モードとなり、携帯端末１０の裏面が制御装置３０に向く姿勢にすると制御装置３０からのデータを携帯端末１０が受信する受信モードになるように通信モードが切り替わる。また、携帯端末１０を制御装置３０の基準距離以下に近づけたとき、姿勢によって決定された通信モードで通信が開始する。【選択図】図１
2013012963.tif 000002
【特許請求の範囲】
【請求項１】
通信部と、
自機の姿勢を検知する姿勢検知部と、
を備え、
前記姿勢検知部によって検知された前記姿勢に応じて、相手機と自機との間の通信モードを切り替える
ことを特徴とする携帯端末。
【請求項２】
前記姿勢検知部によって検知された姿勢が第１姿勢の場合は、前記相手機との間の通信モードを、自機から前記相手機へデータを送信する送信モードにする
ことを特徴とする請求項１に記載の携帯端末。
【請求項３】
前記姿勢検知部によって検知された姿勢が第２姿勢の場合は、前記相手機との間の通信モードを、前記相手機から送信されたデータを自機が受信する受信モードにする
ことを特徴とする請求項１または２に記載の携帯端末。
【請求項４】
自機と前記相手機とが所定条件下で近づく変位または所定条件下で遠ざかる変位が検出されたとき、自機と前記相手機との間でデータ通信を行う
ことを特徴とする請求項１乃至３のいずれか１つに記載の携帯端末。
【請求項５】
前記第１姿勢は、自機の表面が前記相手機を向く姿勢である
ことを特徴とする請求項２に記載の携帯端末。
【請求項６】
前記第２姿勢は、自機の裏面が前記相手機を向く姿勢である
ことを特徴とする請求項３に記載の携帯端末。
【請求項７】
自機の表面に表示部を備え、
前記相手機から送信されたデータを自機が受信するとき、その受信状況を前記表示部に表示する
ことを特徴とする請求項１乃至６のいずれか１つに記載の携帯端末。
【請求項８】
前記姿勢検知部は、自機に設けられたカメラが撮影した画像から自機の姿勢を検知する
ことを特徴とする請求項１乃至７のいずれか１つに記載の携帯端末。
【請求項９】
通信部と、自機の姿勢を検知する姿勢検知部とを備えた携帯端末を、
前記姿勢検知部によって検知された前記姿勢に応じて、相手機と自機との間の通信モードを切り替えるように動作させる
ことを特徴とするプログラム。
【請求項１０】
前記携帯端末を、
前記姿勢検知部によって検知された姿勢が第１姿勢の場合は、前記相手機との間の通信モードを、自機から前記相手機へデータを送信する送信モードにするように動作させる
ことを特徴とする請求項９に記載のプログラム。
【請求項１１】
前記携帯端末を、
前記姿勢検知部によって検知された姿勢が第２姿勢の場合は、前記相手機との間の通信モードを、前記相手機から送信されたデータを自機が受信する受信モードにするように動作させる
ことを特徴とする請求項９または１０に記載のプログラム。
【請求項１２】
前記携帯端末を、
自機と前記相手機とが所定条件下で近づく変位または所定条件下で遠ざかる変位が検出されたとき、自機と前記相手機との間でデータ通信を行うように動作させる
ことを特徴とする請求項９乃至１１のいずれか１つに記載のプログラム。
【請求項１３】
前記第１姿勢は、自機の表面が前記相手機を向く姿勢である
ことを特徴とする請求項９乃至１２のいずれか１つに記載のプログラム。
【請求項１４】
前記第２姿勢は、自機の裏面が前記相手機を向く姿勢である
ことを特徴とする請求項９乃至１３のいずれか１つに記載のプログラム。
【請求項１５】
前記携帯端末はその表面に表示部を備えており、
前記携帯端末を、
前記相手機から送信されたデータを自機が受信するとき、その受信状況を前記表示部に表示するように動作させる
ことを特徴とする請求項９乃至１４のいずれか１つに記載のプログラム。
【請求項１６】
前記姿勢検知部は、前記携帯端末に設けられたカメラであり、
前記携帯端末を、
前記カメラが撮影した画像から自機の姿勢を検知するように動作させる
ことを特徴とする請求項９乃至１５のいずれか１つに記載のプログラム。
【請求項１７】
携帯端末と、所定の場所に設置されて前記携帯端末と通信する情報処理装置とを有するデータ通信システムであって、
前記携帯端末は、
前記情報処理装置と通信する通信部と、
自機の姿勢を検知する姿勢検知部と、
を備え、
前記姿勢検知部によって検知された前記姿勢に応じて、前記携帯端末と前記情報処理装置との間の通信モードを切り替える
ことを特徴とするデータ通信システム。
【請求項１８】
前記姿勢検知部によって検知された姿勢が第１姿勢の場合は、前記携帯端末と前記情報処理装置との間の通信モードを、前記携帯端末から前記情報処理装置へデータを送信する送信モードにする
ことを特徴とする請求項１７に記載のデータ通信システム。
【請求項１９】
前記姿勢検知部によって検知された姿勢が第２姿勢の場合は、前記携帯端末と前記情報処理装置との間の通信モードを、前記情報処理装置から送信されたデータを前記携帯端末が受信する受信モードにする
ことを特徴とする請求項１７または１８に記載のデータ通信システム。
【請求項２０】
前記携帯端末は、前記姿勢検知部で検知した自機の姿勢を示す姿勢情報を前記情報処理装置に送信し、
前記情報処理装置は、前記携帯端末から受信した前記姿勢情報に基づいて通信モードを決定し、この決定した通信モードを前記携帯端末に送信し、
前記情報処理装置と前記携帯端末が共に、前記決定した通信モードに切り替わる
ことを特徴とする請求項１７乃至１９のいずれか１つに記載のデータ通信システム。
【請求項２１】
前記携帯端末が前記情報処理装置に所定条件下で近づく変位または所定条件下で遠ざかる変位が検出されたとき、前記携帯端末と前記情報処理装置との間でデータ通信を行う
ことを特徴とする請求項１７乃至２０のいずれか１つに記載のデータ通信システム。
【請求項２２】
前記第１姿勢は、前記携帯端末の表面が前記情報処理装置を向く姿勢である
ことを特徴とする請求項１８に記載のデータ通信システム。
【請求項２３】
前記情報処理装置は、表示部を備える、もしくは、表示部が接続されており、前記携帯端末から送信されたデータを受信するとき、その受信状況を前記表示部に表示する
ことを特徴とする請求項１７乃至２２のいずれか１つに記載のデータ通信システム。
【請求項２４】
前記第２姿勢は、前記携帯端末の裏面が前記相手機を向く姿勢である
ことを特徴とする請求項１９に記載のデータ通信システム。
【請求項２５】
前記携帯端末は、自機の表面に第２表示部を備え、前記情報処理装置から送信されたデータを受信するとき、その受信状況を前記第２表示部に表示する
ことを特徴とする請求項１７乃至２４のいずれか１つに記載のデータ通信システム。
【請求項２６】
前記姿勢検知部は、前記携帯端末に設けられたカメラが撮影した画像から前記携帯端末の姿勢を検知する
ことを特徴とする請求項１７乃至２５のいずれか１つに記載のデータ通信システム。
【請求項２７】
通信部と、
通信モードの選択操作を受ける選択スイッチと、
相手機との距離を検知する距離検知部と、
を備え、
自機と前記相手機とが所定条件下で近づく変位または所定条件下で遠ざかる変位を検出したとき、前記選択スイッチにより選択された通信モードで前記相手機とデータ通信する
ことを特徴とする携帯端末。
【請求項２８】
前記選択スイッチは、自機から前記相手機にデータを送信する送信モード、前記相手機が送信したデータを自機が受信する受信モード、のいずれかを選択する
ことを特徴とする請求項２７に記載の携帯端末。
【請求項２９】
通信部と、通信モードの選択操作を受ける選択スイッチと、相手機との距離を検知する距離検知部とを備えた携帯端末を、
自機と前記相手機とが所定条件下で近づく変位または所定条件下で遠ざかる変位を検出したとき、前記選択スイッチにより選択された通信モードで前記相手機とデータ通信するように動作させる
ことを特徴とするプログラム。
【請求項３０】
前記選択スイッチは、自機から前記相手機にデータを送信する送信モード、前記相手機が送信したデータを自機が受信する受信モード、のいずれかを選択する
ことを特徴とする請求項２９に記載のプログラム。
【請求項３１】
携帯端末と、所定の場所に設置されて前記携帯端末と通信する情報処理装置と、前記携帯端末と前記情報処理との距離を測定する距離測定部とを有するデータ通信システムであって、
前記携帯端末は通信モードの選択操作を受ける選択スイッチを備え、
前記携帯端末と前記情報処理装置とが所定条件下で近づく変位または所定条件下で遠ざかる変位を検出したとき、前記携帯端末の前記選択スイッチにより選択された通信モードにて前記情報処理装置と前記携帯端末との間でデータ通信する
ことを特徴とするデータ通信システム。
【請求項３２】
前記選択スイッチは、前記携帯端末から前記情報処理装置にデータを送信する送信モード、前記情報処理装置が送信したデータを前記携帯端末が受信する受信モード、のいずれかを選択する
ことを特徴とする請求項３１に記載のデータ通信システム。
【発明の詳細な説明】
【技術分野】
【０００１】
本発明は、データ通信を行う携帯端末、そのプログラム、および、データ通信システムに係り、特に、通信モードを切り替える技術に関する。
【背景技術】
【０００２】
会議参加者が自己のアイデアを携帯端末の手書き画面にメモ書きした内容を携帯端末から会議制御装置に送信すると、会議制御装置がそのメモ書きをプロジェジェクターに表示したり会議データとして取り込んだりする電子会議システムがある（たとえば、特許文献１参照。）。この電子会議システムでは、携帯端末をＩＣカードリーダにかざすと、携帯端末からデータが送信されて会議制御装置に取り込まれるようになっている。携帯端末とＩＣカードリーダとの間の通信は、近距離無線通信により非接触で行われる。
【０００３】
また、携帯端末に加速度計を組み込み、この加速度計が検知した携帯端末の動きを、当該携帯端末に対するユーザからの各種の操作指示として認識する技術がある（たとえば、特許文献２参照。）。
【先行技術文献】
【特許文献】
【０００４】
【特許文献１】特開２００７−２８６７８０号公報
【特許文献２】特開２００７−５２５７７５号公報
【発明の概要】
【発明が解決しようとする課題】
【０００５】
特許文献１のように、携帯端末をＩＣカードリーダにかざす（近づける）だけでデータ通信が行われるのは便利である。しかし、携帯端末と他の装置との間の通信動作として、携帯端末から他装置へデータを送信する送信動作と、他装置からのデータを携帯端末が受信する受信動作とがある場合には、単に近づけるという動作のみでは、それぞれの装置がデータを送信しようとしているのか受信しようとしているのかを判別できない。
【０００６】
この判別を行うために、たとえば、送信か受信かをユーザが事前に選択してから携帯端末と他の装置とを近づける、あるいは携帯端末を他の装置に近づけている間に送信か受信かをユーザが携帯端末で選択操作するといった方式をとると、特別なユーザ操作が必要になるため、操作が煩雑になる。特に、アイデア出しの会議などでは、その特別な操作がユーザの思考の妨げになることもある。
【０００７】
特許文献２は、加速度計で検知した携帯端末の動きをユーザからの操作指示として認識するものの、携帯端末単体の動作を制御する技術であり、相手機との通信には対応していない。
【０００８】
本発明は、上記の問題を解決しようとするものであり、特別な操作を行うことなく携帯端末と相手機との間の通信モードを指定することのできる携帯端末、そのプログラム、データ通信システムを提供することを目的としている。
【課題を解決するための手段】
【０００９】
かかる目的を達成するための本発明の要旨とするところは、次の各項の発明に存する。
【００１０】
［１］通信部と、
自機の姿勢を検知する姿勢検知部と、
を備え、
前記姿勢検知部によって検知された前記姿勢に応じて、相手機と自機との間の通信モードを切り替える
ことを特徴とする携帯端末。
【００１１】
上記発明および下記［９］に記載の発明では、携帯端末の姿勢により、当該携帯端末と相手機との間の通信モードが決定されて切り替えられる。姿勢は、携帯端末の単独での姿勢でもよいし、相手機との相対的な関係による姿勢でもよい。たとえば、携帯端末単独の姿勢としては、上向き、下向き、あるいは、移動方向に表面が向いているか否かなどがある。相対的姿勢としては、相手機に携帯端末の表面が向いているか否か、などがある。通信モードは、たとえば、送信モードと受信モードとの切り替え、送信モードと通信禁止モードとの切り替え、受信モードと通信禁止モードとの切り替えなどがある。姿勢を３種類以上に区別する場合は、通信モードを３種類以上に切り替えても良い。たとえば、第１姿勢では送信モード、第２姿勢では受信モードと、他の姿勢では通信禁止モード、としてもよい。相手機は同種の携帯端末であってもよいし、ある場所に設置された端末装置でもかまわない。
【００１２】
［２］前記姿勢検知部によって検知された姿勢が第１姿勢の場合は、前記相手機との間の通信モードを、自機から前記相手機へデータを送信する送信モードにする
ことを特徴とする［１］に記載の携帯端末。
【００１３】
上記発明および下記［１０］に記載の発明では、携帯端末が第１姿勢の場合、自機から相手機へデータを送信する送信モードになる。第１姿勢以外の姿勢での通信モードは適宜に設定すればよく、たとえば、受信モードとしても、通信禁止モードとしてもよい。
【００１４】
［３］前記姿勢検知部によって検知された姿勢が第２姿勢の場合は、前記相手機との間の通信モードを、前記相手機から送信されたデータを自機が受信する受信モードにする
ことを特徴とする［１］または［２］に記載の携帯端末。
【００１５】
上記発明および下記［１１］に記載の発明では、携帯端末が第２姿勢の場合、相手機から送信されたデータを自機が受信する受信モードになる。第２姿勢以外の姿勢での通信モードは適宜に設定すればよく、たとえば、送信モードとしても、通信禁止モードとしてもよい。
【００１６】
［４］自機と前記相手機とが所定条件下で近づく変位または所定条件下で遠ざかる変位が検出されたとき、自機と前記相手機との間でデータ通信を行う
ことを特徴とする［１］乃至［３］のいずれか１つに記載の携帯端末。
【００１７】
上記発明および下記［１２］に記載の発明では、近づく変位あるいは遠ざかる変位を起因にデータ通信を開始する。所定条件は、近づく変位あるいは遠ざかる変位が相手機と一定距離以内で生じていること、一定スピード以上での近づきや遠ざかりであることなど、任意の加重条件でよい。
【００１８】
［５］前記第１姿勢は、自機の表面が前記相手機を向く姿勢である
ことを特徴とする［２］に記載の携帯端末。
【００１９】
上記発明および下記［１３］に記載の発明では、自機の表面が相手機を向く第１姿勢のとき、自機から相手機へデータを送信する送信モードになる。表面に表示されているデータを相手機に送る場合、送る情報を相手方に向けることは人間の感性に合致しており、人の自然な動作で送信モードを指定することができる。
【００２０】
［６］前記第２姿勢は、自機の裏面が前記相手機を向く姿勢である
ことを特徴とする［３］に記載の携帯端末。
【００２１】
上記発明および下記［１４］に記載の発明では、自機の裏面が相手機を向く第２姿勢のとき、相手機からのデータを自機が受信する受信モードになる。相手から受信した情報が表面に表示されるような場合、受信した情報の表示される表面を自分の方に向けることは人間の感性に合致しており、人の自然な動作で受信モードを指定することができる。
【００２２】
［７］自機の表面に表示部を備え、
前記相手機から送信されたデータを自機が受信するとき、その受信状況を前記表示部に表示する
ことを特徴とする［１］乃至［６］のいずれか１つに記載の携帯端末。
【００２３】
上記発明および下記［１５］に記載の発明では、相手機からデータを受信する際の受信状況が自機の表示部に表示される。受信内容を受信側で確認することができる。
【００２４】
［８］前記姿勢検知部は、自機に設けられたカメラが撮影した画像から自機の姿勢を検知する
ことを特徴とする［１］乃至［７］のいずれか１つに記載の携帯端末。
【００２５】
上記発明および下記［１６］に記載の発明では、カメラの撮影画像に写っているものを解析することで、自機の姿勢を判別する。たとえば、相手機が写っていれば、カメラが相手機側を向いていることがわかり、自機の姿勢を識別することができる。
【００２６】
［９］通信部と、自機の姿勢を検知する姿勢検知部とを備えた携帯端末を、
前記姿勢検知部によって検知された前記姿勢に応じて、相手機と自機との間の通信モードを切り替えるように動作させる
ことを特徴とするプログラム。
【００２７】
［１０］前記携帯端末を、
前記姿勢検知部によって検知された姿勢が第１姿勢の場合は、前記相手機との間の通信モードを、自機から前記相手機へデータを送信する送信モードにするように動作させる
ことを特徴とする［９］に記載のプログラム。
【００２８】
［１１］前記携帯端末を、
前記姿勢検知部によって検知された姿勢が第２姿勢の場合は、前記相手機との間の通信モードを、前記相手機から送信されたデータを自機が受信する受信モードにするように動作させる
ことを特徴とする［９］または［１０］に記載のプログラム。
【００２９】
［１２］前記携帯端末を、
自機と前記相手機とが所定条件下で近づく変位または所定条件下で遠ざかる変位が検出されたとき、自機と前記相手機との間でデータ通信を行うように動作させる
ことを特徴とする［９］乃至［１１］のいずれか１つに記載のプログラム。
【００３０】
［１３］前記第１姿勢は、自機の表面が前記相手機を向く姿勢である
ことを特徴とする［９］乃至［１２］のいずれか１つに記載のプログラム。
【００３１】
［１４］前記第２姿勢は、自機の裏面が前記相手機を向く姿勢である
ことを特徴とする［９］乃至［１３］のいずれか１つに記載のプログラム。
【００３２】
［１５］前記携帯端末はその表面に表示部を備えており、
前記携帯端末を、
前記相手機から送信されたデータを自機が受信するとき、その受信状況を前記表示部に表示するように動作させる
ことを特徴とする［９］乃至［１４］のいずれか１つに記載のプログラム。
【００３３】
［１６］前記姿勢検知部は、前記携帯端末に設けられたカメラであり、
前記携帯端末を、
前記カメラが撮影した画像から自機の姿勢を検知するように動作させる
ことを特徴とする［９］乃至［１５］のいずれか１つに記載のプログラム。
【００３４】
［１７］携帯端末と、所定の場所に設置されて前記携帯端末と通信する情報処理装置とを有するデータ通信システムであって、
前記携帯端末は、
前記情報処理装置と通信する通信部と、
自機の姿勢を検知する姿勢検知部と、
を備え、
前記姿勢検知部によって検知された前記姿勢に応じて、前記携帯端末と前記情報処理装置との間の通信モードを切り替える
ことを特徴とするデータ通信システム。
【００３５】
上記発明では、携帯端末の姿勢により、当該携帯端末と、情報処理装置との間の通信モードが決定されて切り替えられる。姿勢は、携帯端末の単独での姿勢でもよいし、情報処理端末に対する相対的な姿勢でもよい。たとえば、携帯端末単独の姿勢としては、上向き、下向き、あるいは、移動方向に表面が向いているか否かなどがある。相対的姿勢としては、情報処理装置に携帯端末の表面が向いているか否か、などがある。通信モードは、たとえば、送信モードと受信モードとの切り替え、送信モードと通信禁止モードとの切り替え、受信モードと通信禁止モードとの切り替えなどがある。姿勢を３種類以上に区別する場合は、通信モードを３種類以上に切り替えも良い。たとえば、第１姿勢では送信モード、第２姿勢では受信モードと、他の姿勢では通信禁止モード、としてもよい。
【００３６】
［１８］前記姿勢検知部によって検知された姿勢が第１姿勢の場合は、前記携帯端末と前記情報処理装置との間の通信モードを、前記携帯端末から前記情報処理装置へデータを送信する送信モードにする
ことを特徴とする［１７］に記載のデータ通信システム。
【００３７】
上記発明では、携帯端末が第１姿勢の場合、自機から情報処理装置へデータを送信する送信モードになる。第１姿勢以外の姿勢での通信モードは適宜に設定すればよく、たとえば、受信モードとしても、通信禁止モードとしてもよい。
【００３８】
［１９］前記姿勢検知部によって検知された姿勢が第２姿勢の場合は、前記携帯端末と前記情報処理装置との間の通信モードを、前記情報処理装置から送信されたデータを前記携帯端末が受信する受信モードにする
ことを特徴とする［１７］または［１８］に記載のデータ通信システム。
【００３９】
上記発明では、携帯端末が第２姿勢の場合、情報処理装置から送信されたデータを自機が受信する受信モードになる。第２姿勢以外の姿勢での通信モードは適宜に設定すればよく、たとえば、送信モードとしても、通信禁止モードとしてもよい。
【００４０】
［２０］前記携帯端末は、前記姿勢検知部で検知した自機の姿勢を示す姿勢情報を前記情報処理装置に送信し、
前記情報処理装置は、前記携帯端末から受信した前記姿勢情報に基づいて通信モードを決定し、この決定した通信モードを前記携帯端末に送信し、
前記情報処理装置と前記携帯端末が共に、前記決定した通信モードに切り替わる
ことを特徴とする［１７］乃至［１９］のいずれか１つに記載のデータ通信システム。
【００４１】
上記発明では、携帯端末の姿勢情報を携帯端末から情報処理装置に送り、情報処理装置が携帯端末の姿勢から通信モードを決定する。この通信モードは携帯端末に通知される。これにより、携帯端末と情報処理装置とが同じ通信モードで動作する。
【００４２】
［２１］前記携帯端末が前記情報処理装置に所定条件下で近づく変位または所定条件下で遠ざかる変位が検出されたとき、前記携帯端末と前記情報処理装置との間でデータ通信を行う
ことを特徴とする［１７］乃至［２０］のいずれか１つに記載のデータ通信システム。
【００４３】
上記発明では、近づく変位あるいは遠ざかる変位を起因にデータ通信を開始する。所定条件は、近づく変位あるいは遠ざかる変位が情報処理装置の一定距離以内で生じていること、一定スピード以上での近づきや遠ざかりであることなど、任意の加重条件でよい。
【００４４】
［２２］前記第１姿勢は、前記携帯端末の表面が前記情報処理装置を向く姿勢である
ことを特徴とする［１８］に記載のデータ通信システム。
【００４５】
上記発明では、携帯端末の表面が情報処理装置を向く第１姿勢のとき、携帯端末から情報処理装置へデータを送信する送信モードになる。携帯端末の表面に表示されているデータを情報処理装置に送る場合、送る情報を相手方に向けることは人間の感性に合致しており、人の自然な動作で送信モードを指定することができる。
【００４６】
［２３］前記情報処理装置は、表示部を備える、もしくは、表示部が接続されており、前記携帯端末から送信されたデータを受信するとき、その受信状況を前記表示部に表示する
ことを特徴とする［１７］乃至［２２］のいずれか１つに記載のデータ通信システム。
【００４７】
上記発明では、携帯端末からデータを受信する際の受信状況が情報処理装置の表示部に表示される。受信内容を受信側で確認することができる。
【００４８】
［２４］前記第２姿勢は、前記携帯端末の裏面が前記相手機を向く姿勢である
ことを特徴とする［１９］に記載のデータ通信システム。
【００４９】
上記発明では、携帯端末の裏面が情報処理装置を向く第２姿勢のとき、情報処理装置からのデータを携帯端末が受信する受信モードになる。情報処理装置から受信した情報が携帯端末の表面に表示されるような場合、受信した情報の表示される携帯端末の表面を自分の方に向けることは人間の感性に合致しており、人の自然な動作で受信モードを指定することができる。
【００５０】
［２５］前記携帯端末は、自機の表面に第２表示部を備え、前記情報処理装置から送信されたデータを受信するとき、その受信状況を前記第２表示部に表示する
ことを特徴とする［１７］乃至［２４］のいずれか１つに記載のデータ通信システム。
【００５１】
上記発明では、情報処理装置から携帯端末がデータを受信する際の受信状況が携帯端末の表示部に表示される。受信内容を受信側で確認することができる。
【００５２】
［２６］前記姿勢検知部は、前記携帯端末に設けられたカメラが撮影した画像から前記携帯端末の姿勢を検知する
ことを特徴とする［１７］乃至［２５］のいずれか１つに記載のデータ通信システム。
【００５３】
上記発明では、カメラの撮影画像に写っているものを解析することで、携帯端末の姿勢を判別する。たとえば、情報処理装置が写っていれば、カメラが情報処理装置側を向いていることがわかり、携帯端末の姿勢を識別することができる。
【００５４】
［２７］通信部と、
通信モードの選択操作を受ける選択スイッチと、
相手機との距離を検知する距離検知部と、
を備え、
自機と前記相手機とが所定条件下で近づく変位または所定条件下で遠ざかる変位を検出したとき、前記選択スイッチにより選択された通信モードで前記相手機とデータ通信する
ことを特徴とする携帯端末。
【００５５】
上記発明および下記［２９］に記載の発明では、携帯端末に設けた選択スイッチにより通信モードを選択し、携帯端末を所定条件下で相手機に近づけるあるいは遠ざける動作を行うと、選択スイッチで指定された通信モードでの通信が行われる。
【００５６】
［２８］前記選択スイッチは、自機から前記相手機にデータを送信する送信モード、前記相手機が送信したデータを自機が受信する受信モード、のいずれかを選択する
ことを特徴とする［２７］に記載の携帯端末。
【００５７】
［２９］通信部と、通信モードの選択操作を受ける選択スイッチと、相手機との距離を検知する距離検知部とを備えた携帯端末を、
自機と前記相手機とが所定条件下で近づく変位または所定条件下で遠ざかる変位を検出したとき、前記選択スイッチにより選択された通信モードで前記相手機とデータ通信するように動作させる
ことを特徴とするプログラム。
【００５８】
［３０］前記選択スイッチは、自機から前記相手機にデータを送信する送信モード、前記相手機が送信したデータを自機が受信する受信モード、のいずれかを選択する
ことを特徴とする［２９］に記載のプログラム。
【００５９】
［３１］携帯端末と、所定の場所に設置されて前記携帯端末と通信する情報処理装置と、前記携帯端末と前記情報処理との距離を測定する距離測定部とを有するデータ通信システムであって、
前記携帯端末は通信モードの選択操作を受ける選択スイッチを備え、
前記携帯端末と前記情報処理装置とが所定条件下で近づく変位または所定条件下で遠ざかる変位を検出したとき、前記携帯端末の前記選択スイッチにより選択された通信モードにて前記情報処理装置と前記携帯端末との間でデータ通信する
ことを特徴とするデータ通信システム。
【００６０】
上記発明では、携帯端末に設けた選択スイッチにより通信モードを選択し、携帯端末を所定条件下で情報処理装置に近づけるあるいは遠ざける動作を行うと、選択スイッチで指定された通信モードで情報処理装置と携帯端末との間の通信が行われる。
【００６１】
［３２］前記選択スイッチは、前記携帯端末から前記情報処理装置にデータを送信する送信モード、前記情報処理装置が送信したデータを前記携帯端末が受信する受信モード、のいずれかを選択する
ことを特徴とする［３１］に記載のデータ通信システム。
【発明の効果】
【００６２】
本発明に係る携帯端末、そのプログラム、データ通信システムによれば、特別な操作を行う、携帯端末の姿勢により携帯端末と相手機との間の通信モードを指定することができる。
【図面の簡単な説明】
【００６３】
【図１】本発明に係るデータ通信システムを適用した電子会議システムの構成例を示す説明図である。
【図２】本発明の実施の形態に係るデータ通信システムに含まれる携帯端末の構成を示すブロック図である。
【図３】本発明の実施の形態に係るデータ通信システムに含まれる制御装置の構成を示すブロック図である。
【図４】携帯端末から制御装置へ送信する場合の表示部の表示例を示す説明図である。
【図５】制御装置からのデータを携帯端末が受信する場合の表示部の表示例を示す説明図である。
【図６】認識した通信モードを確認するメッセージの表示例を示す説明図である。
【図７】携帯端末の姿勢によって送受信を区別してデータ通信する場合の携帯端末の動作を示す流れ図である。
【図８】携帯端末の姿勢によって送受信を区別してデータ通信する場合の制御装置の動作を示す流れ図である。
【図９】携帯端末の姿勢で送受信を区別しかつ近づける動作を起因にデータ通信を開始する場合の制御装置の動作を示す流れ図である。
【図１０】携帯端末のスイッチ操作によって送受信を区別し近づける動作を起因にデータ通信を開始する場合の携帯端末の動作を示す流れ図である。
【図１１】携帯端末のスイッチ操作によって送受信を区別し近づける動作を起因にデータ通信を開始する場合の制御装置の動作を示す流れ図である。
【図１２】携帯端末Ａの姿勢に基づき、携帯端末Ａから携帯端末Ｂへデータを送信する場合の動作を示す流れ図である。
【図１３】携帯端末Ａの姿勢に基づき、携帯端末Ａが携帯端末Ｂからのデータを受信する場合の動作を示す流れ図である。
【発明を実施するための形態】
【００６４】
以下、図面に基づき本発明の実施の形態を説明する。
【００６５】
図１は、本発明に係るデータ通信システムを適用した電子会議システム５の構成例を示している。電子会議システム５は、会議参加者各自が使用する携帯端末１０と、会議参加者が囲むテーブル２の上などに設置される制御装置３０と、会議参加者が共通に閲覧する共有表示装置７で構成される。共有表示装置７には、たとえば、大型のディスプレイやプロジェクタが使用される。
【００６６】
電子会議システム５は、外部のサーバや制御装置３０の内部に保存されている資料などを共有表示装置７に表示したり、会議参加者が携帯端末１０に入力したメモ書きやアイデアを付箋のように共有表示装置７に表示したり、共有表示装置７に表示されている情報を携帯端末１０に取り込んで個人で修正検討するなど、会議における情報共有を支援する。
【００６７】
制御装置３０は、共有表示装置７の表示、各携帯端末１０とのデータの送受信などを制御する。制御装置３０と各携帯端末１０との間では無線通信によりデータが送受信される。
【００６８】
電子会議システム５では、携帯端末１０の表面（表示部やタッチパネルのある側）を制御装置３０に向けた姿勢のとき、携帯端末１０から制御装置３０へデータを送信する送信モードになり、携帯端末１０の裏面を制御装置３０に向けた姿勢のとき、携帯端末１０が制御装置３０から送られてくるデータを受信する受信モードになるようになっている。
【００６９】
図２は、携帯端末１０の構成を示すブロック図である。携帯端末１０は、表示部１１と、操作入力部１２と、通信部１３と、姿勢検知部１４と、外部メモリ接続部１５とを制御部１６に接続して構成される。携帯端末１０の動作を統括制御する制御部１６は、ＣＰＵ（Central Processing Unit）１７、ＦｌａｓｈＲＯＭ（Read Only Memory）１８、メモリ１９などを主要部として構成される。
【００７０】
表示部１１は液晶ディスプレイなどで構成される。操作入力部１２は、表示部１１の画面上に設けられ、画面上でのペンなどの接触位置を検出するタッチパネルのほか、各種の操作スイッチで構成される。操作入力部１２はタッチパネルからユーザの手書きによる文字、図形などの入力を受ける。
【００７１】
ここでは、表示部１１の画面上の入力エリアに入力され表示されている文字や図形などを入力エリア単位に１つのパーツとして扱う。入力エリアは、たとえば、予め設定されたエリア全体としたり、ユーザが任意に指定したエリアとすることができる。
【００７２】
携帯端末１０は薄型箱形状を成しており、表示部１１や操作入力部１２はその表面に配置され、裏面には表示部はない。なお、表面の定義は以下とする。手書き文字の入力や情報表示などを行うための表示部１１や操作入力部１２を備える方の面を表面とする。表裏面に表示部を有する構成の場合は、より大きい表示画面の表示部を有する方の面を表面とする。
【００７３】
姿勢検知部１４は、当該携帯端末１０の姿勢状態を検知する。姿勢検知の方法は公知の任意の方式でよい。たとえば、加速度計などを用いて姿勢検知する。ここでは、携帯端末１０の表面や裏面がどの方向を向いているかを検知する。姿勢検知部１４は当該携帯端末１０の姿勢状態を示す姿勢情報を出力する。姿勢のほか、携帯端末１０を制御装置３０に近づける際の移動速度などを検知してもよい。
【００７４】
通信部１３は、無線通信により制御装置３０やネットワークに接続された他の機器と通信する機能を果たす。たとえば、通信部１３を通じて携帯端末１０から制御装置３０へパーツ情報や姿勢検知部１４から得た姿勢情報を送信する。また、制御装置３０から送信されてくるパーツ情報を受信したり、制御装置３０から通信要求を受信したりする。
【００７５】
電子会議システム５で扱う画像データはパーツ単位で構成されており、画像データを携帯端末１０と制御装置３０との間で送受信する場合、パーツ単位での送受信が基本となる。ただし、データ量が大きい場合は、一旦圧縮してまとめて送受信することもある。携帯端末１０が制御装置３０からパーツ単位でデータを受信している場合、その受信データや通信状態を順次、表示部１１に表示する。圧縮されたデータを受信している場合は、展開しながら順次表示するようになっている。
【００７６】
制御部１６のＦｌａｓｈＲＯＭ１８は、電源をオフしてもその記憶内容が保持される書き換え可能なメモリである。ＦｌａｓｈＲＯＭ１８には、各種プログラムやデータが格納され、ＣＰＵ１７がこれらのプログラムに従って各種の処理を実行することで携帯端末１０として各機能が実現される。また、携帯端末１０に対して設定された各種の設定値なども記憶される。メモリ１９はＣＰＵ１７がプログラムを実行する際に各種のデータを一時的に格納するワークメモリや表示データを一時記憶するメモリとして使用される。
【００７７】
外部メモリ接続部１５には、ＳＤ（Secure Digital）メモリカードなどが着脱可能に接続される。装着されたＳＤメモリカードには、たとえば、パーツ関連のデータが保存される。
【００７８】
図３は、制御装置３０の構成を示すブロック図である。制御装置３０は、表示部３１と、操作入力部３２と、通信部３３と、距離検知部３４と、外部メモリ接続部３５と表示制御部３６とを制御部３７に接続して構成される。制御装置３０の動作を統括制御する制御部３７は、ＣＰＵ３８、ＦｌａｓｈＲＯＭ３９、メモリ４０などを主要部として構成される。
【００７９】
表示部３１は液晶ディスプレイなどで構成される。操作入力部３２は、表示部３１の画面上に設けられ、画面上でのペンなどの接触位置を検出するタッチパネルのほか、各種の操作スイッチで構成される。操作入力部３２はタッチパネルからユーザの電子会議システム５に対する各種設定操作を受け付ける。
【００８０】
制御装置３０は、薄型箱形状を成しており、テーブル２の中央などに表示部３１および操作入力部３２のある面(表面)を上にして設置される。
【００８１】
距離検知部３４は、制御装置３０と各携帯端末１０との間の距離を検知する。距離の検知方式は公知の任意でよい。ここでは、携帯端末１０が２０ｃｍ程度の距離に近づいたとき、この携帯端末１０と制御装置３０との間でデータ通信を行うようになっている。
【００８２】
通信部３３は、無線通信により携帯端末１０やネットワークに接続された機器などと通信する機能を果たす。たとえば、携帯端末１０から送信されてくるパーツ情報を受信したり、制御装置３０から携帯端末１０へ通信要求やパーツ情報を送信したりする。制御装置３０が携帯端末１０からパーツ単位でデータを受信している場合、その受信データや通信状態を順次、表示部３１に表示する。圧縮されたデータを受信している場合は、展開しながら順次表示するようになっている。
【００８３】
外部メモリ接続部３５には、ＳＤメモリカードなどが着脱可能に接続される。装着されたＳＤメモリカードには、たとえば、パーツ関連のデータやプロジェクトのデータなどが保存される。表示制御部３６は、共有表示装置７の表示を制御する。
【００８４】
制御部３７のＦｌａｓｈＲＯＭ３９は、電源をオフしてもその記憶内容が保持される書き換え可能なメモリである。ＦｌａｓｈＲＯＭ３９には、各種プログラムやデータが格納され、ＣＰＵ３８がこれらのプログラムに従って各種の処理を実行することで制御装置３０として各機能が実現される。また、制御装置３０に対して設定された各種の設定値なども記憶される。メモリ４０はＣＰＵ３８がプログラムを実行する際に各種のデータを一時的に格納するワークメモリや表示データを一時記憶するメモリとして使用される。
【００８５】
図４は、携帯端末１０から制御装置３０へデータを送信する送信モードでデータを送信する際の通信状況の表示例を示している。電子会議システム５では、携帯端末１０の表面を制御装置３０に向けると送信モードになるので、送信モードでは、携帯端末１０を持っているユーザは、携帯端末１０の表面にある表示部１１の表示は見えない。また、通信状況は受信側での受信状況を示すことが望ましい。そこで、送信モードでは制御装置３０の表示部３１に通信状況を表示する。本例では、制御装置３０の表示部３１に、制御装置３０が認識した通信モード（送信モード）の通知５１、通信の進捗状況として送信途中の画像データの表示５２、送信完了の通知５３などを表示する。なお、送信モードにおいて携帯端末１０の表示部１１に同様の表示を行ってもよい。
【００８６】
図５は、制御装置３０からのデータを携帯端末１０が受信する受信モードでの通信状況の表示例を示している。電子会議システム５では、携帯端末１０の裏面を制御装置３０に向けると受信モードになるので、携帯端末１０を持っているユーザは、受信モードでは自己の携帯端末１０の表面にある表示部１１を見ることができる。また、通信状況は受信側での受信状況を示すことが望ましい。そこで、受信モードでは携帯端末１０の表示部１１に通信状況を表示する。本例では、受信モードで通信する場合には、認識した通信モード（受信モード）の通知６１、通信の進捗状況として受信途中の画像データの表示６２、受信完了の通知６３などを携帯端末１０の表示部１１に表示する。なお、受信モードでは制御装置３０の表示部３１の表示もユーザに見えるので、制御装置３０の表示部３１にも同様の表示を行ってもよい。
【００８７】
このほか、携帯端末１０の姿勢に基づいて認識した通信モードを制御装置３０や携帯端末１０に表示し、その認識した通信モードで通信してよいか否かをユーザに確認するようにしてもよい。図６（ａ）は、送信モードと認識した場合に、制御装置３０の表示部３１に表示される確認メッセージを、図６（ｂ）は、受信モードと認識した場合に、携帯端末１０の表示部１１に表示される確認メッセージを示している。なお、通信モードの確認においては、認識した通信モードが誤っている場合があることを想定し、携帯端末１０の表示部１１と制御装置３０の表示部３１の双方に確認メッセージを表示するように構成してもよい。
【００８８】
次に、電子会議システム５の携帯端末１０および制御装置３０の各動作を流れ図に基づいて説明する。データの送受信動作には複数タイプがあり、それぞれのタイプについて説明する。
【００８９】
＜タイプ１＞
タイプ１は、携帯端末１０の姿勢により送受信を区別して通信するタイプの動作である。図７は、タイプ１の場合における携帯端末１０の動作を示す流れ図である。この処理は、ステップＳ４０５からステップＳ４０１に戻って繰り返し実行される。
【００９０】
携帯端末１０の姿勢検知部１４は常時、携帯端末１０の姿勢を検出する。携帯端末１０は、姿勢検知部１４が当該携帯端末１０の姿勢の変化を検出すると（ステップＳ４０２；Ｙｅｓ）、変化後の姿勢を示す姿勢データを収集し(ステップＳ４０３)、この姿勢データを制御装置３０に送信して（ステップＳ４０４）、一旦処理を終了する（ステップＳ４０５）。
【００９１】
姿勢の変化が検出されない場合は(ステップＳ４０２；Ｎｏ)、制御装置３０から通信要求があったか否かをチェックする(ステップＳ４１０)。通信要求があった場合は(ステップＳ４１０；Ｙｅｓ)、その通信要求が送信要求か否かを調べる(ステップＳ４１１)。送信要求であった場合は（ステップＳ４１１；Ｙｅｓ）、送信対象のデータを準備し(ステップＳ４１２)、準備完了後にそのデータを制御装置３０に対して送信し（ステップＳ４１３）、一旦処理を終了する（ステップＳ４０５）。
【００９２】
受信要求であった場合は(ステップＳ４１１；Ｎｏ)、データの受信準備をする(ステップＳ４２１)。そして、制御装置３０からのデータを受信して(ステップＳ４２２)、一旦処理を終了する（ステップＳ４０５）。
【００９３】
通信要求が無い場合は（ステップＳ４１０；Ｎｏ）、表示要求の受信を確認し（ステップＳ４２３）、表示要求を受信しなければ(ステップＳ４２３；Ｎｏ)、一旦処理を終了する(ステップＳ４０５)。
【００９４】
表示要求を受信した場合は(ステップＳ４２３；Ｙｅｓ)、受信データの途中状況（図５の表示６２）を携帯端末１０の表示部１１に表示して（ステップＳ４２４）、一旦処理を終了する（ステップＳ４０５）。
【００９５】
なお、表示要求の有無にかかわらず。データ受信準備を開始する際には携帯端末１０の表示部１１に、認識した通信モード（受信モード）の通知６１（図５参照）を表示し、受信完了時には表示部１１に受信完了の通知６３を表示する。
【００９６】
図８は、携帯端末１０の姿勢により送信モードか受信モードかを決定して通信するタイプ１の場合における制御装置３０の動作を示す流れ図である。この処理は、ステップＳ４６０からステップＳ４５１に戻って繰り返し実行される。
【００９７】
制御装置３０は、携帯端末１０から姿勢データが送られて来るか否かをチェックし(ステップＳ４５２)、姿勢データが送られて来ない場合は(ステップＳ４５２；Ｎｏ)、ステップＳ４６０へ移行して一旦処理を終了する。
【００９８】
姿勢データが送られて来ると（ステップＳ４５２；Ｙｅｓ）、その姿勢データを受信し(ステップＳ４５３)、受信した姿勢データから、携帯端末１０の表面が当該制御装置３０を向いている姿勢か否かを判断する(ステップＳ４５４)。
【００９９】
携帯端末１０の表面が当該制御装置３０側を向いているときは（ステップＳ４５４；Ｙｅｓ）、通信モードを送信モードとし、携帯端末１０に対して送信要求を含む通信要求（送信要求情報）を送信する（ステップＳ４５５）。その後、携帯端末１０からのデータを受信するための準備を行い（ステップＳ４５６）、携帯端末１０からのデータを受信する（ステップＳ４５７）。
【０１００】
この受信の開始時に表示設定の内容を確認し(ステップＳ４５８)、通信の進捗状況を表示する表示設定が成されていない場合は(ステップＳ４５８；Ｎｏ)、受信が完了すると、一旦処理を終了する(ステップＳ４６０)。通信の進捗状況を表示する表示設定が成されている場合は（ステップＳ４５８；Ｙｅｓ）、受信データの途中状況（図４の表示５２）を制御装置３０の表示部３１に表示し（ステップＳ４５９）、受信が完了すると、一旦処理を終了する(ステップＳ４６０)。
【０１０１】
なお、表示設定の有無にかかわらず、データの受信準備を開始する際に制御装置３０の表示部３１に、制御装置３０で認識した通信モードが送信モードである旨の通知５１（図４参照）を表示し、また携帯端末１０からのデータの受信完了時には表示部３１に送信完了の通知５３を表示する。
【０１０２】
携帯端末１０の裏面が当該制御装置３０側を向いているときは（ステップＳ４５４；Ｎｏ）、携帯端末１０に対して、受信要求を含む通信要求（受信要求情報）を送信する（ステップＳ４６１）。その後、携帯端末１０へデータを送信するための準備を行い（ステップＳ４６２）、制御装置３０から携帯端末１０へデータを送信する（ステップＳ４６３）。
【０１０３】
送信開始後、通信の進捗状況を表示する表示設定が成されているか否かを調べ(ステップＳ４６４)、表示設定がなされていない場合は(ステップＳ４６４；Ｎｏ)、一旦処理を終了する(ステップＳ４６０)。表示設定がなされている場合は(ステップＳ４６４；Ｙｅｓ)、通信の進捗状況の表示要求を携帯端末１０に対して送信して（ステップＳ４６５）、一旦処理を終了する(ステップＳ４６０)。
【０１０４】
＜タイプ２＞
タイプ２は、携帯端末１０の姿勢で送受信を区別し、かつ、携帯端末１０を制御装置３０に近づける動作を起因に通信を開始するタイプの動作である。タイプ２における携帯端末１０の動作は図７に示すタイプ１の場合と同一でありその説明は省略する。
【０１０５】
図９は、タイプ２の場合における制御装置３０の動作の流れを示している。この処理は、ステップＳ５３０からステップＳ５０１に戻って繰り返し実行される。
【０１０６】
制御装置３０は、制御装置３０と携帯端末１０とが近づいているか否かを調べ（ステップＳ５０２）、距離が近づいていない場合は(ステップＳ５０２；Ｎｏ)、ステップＳ５３０へ移行して一旦処理を終了する。
【０１０７】
距離が近づいている場合は(ステップＳ５０２；Ｙｅｓ)、距離検知部３４から携帯端末１０と制御装置３０との間の距離を示す距離データを入手する（ステップＳ５０３）。さらに、携帯端末１０から姿勢データが送られて来たか否かをチェックし(ステップＳ５０４)、姿勢データが送られて来ない場合は(ステップＳ５０４；Ｎｏ)、ステップＳ５０６へ移行する。
【０１０８】
姿勢データが送られて来た場合は(ステップＳ５０４；Ｙｅｓ)、姿勢データを受信して入手し、これを携帯端末１０の現在の姿勢として登録して（ステップＳ５０５）、ステップＳ５０６へ移行する。
【０１０９】
ステップＳ５０６では、ステップＳ５０３で入手した距離データが、予め設定されている送受信開始判断距離（たとえば２０ｃｍ）以下であるか否かを調べる。送受信開始判断距離以下でない場合は（ステップＳ５０６；Ｎｏ）、一旦処理を終了する（ステップＳ５３０）。
【０１１０】
距離データが送受信開始判断距離以下の場合は(ステップＳ５０６；Ｙｅｓ)、携帯端末１０の現在姿勢として登録されている姿勢データから携帯端末１０の表面が当該制御装置３０側を向いているか否かを判断する(ステップＳ５０７)。
【０１１１】
携帯端末１０の表面が当該制御装置３０側を向いているときは（ステップＳ５０７；Ｙｅｓ）、通信モードを送信モードとし、携帯端末１０に対して送信要求を含む通信要求（送信要求情報）を送信する（ステップＳ５０８）。その後、携帯端末１０からのデータを受信するための準備を行い（ステップＳ５０９）、携帯端末１０からのデータを受信する（ステップＳ５１０）。
【０１１２】
この受信の開始時に表示設定の内容を確認し(ステップＳ５１１)、通信の進捗状況を表示する表示設定が成されていない場合は(ステップＳ５１１；Ｎｏ)、受信が完了すると、一旦処理を終了する(ステップＳ５３０)。通信の進捗状況を表示する表示設定が成されている場合は（ステップＳ５１１；Ｙｅｓ）、受信データの途中状況（図４の表示５２）を制御装置３０の表示部３１に表示し（ステップＳ５１２）、受信が完了すると、一旦処理を終了する(ステップＳ５３０)。なお、表示設定の有無にかかわらず、データ受信準備を開始する際に制御装置３０の表示部３１に、制御装置３０で認識した通信モードが送信モードである旨の通知５１（図４参照）を表示し、また携帯端末１０からのデータの受信完了時には表示部３１に送信完了の通知５３を表示する。
【０１１３】
携帯端末１０の裏面が当該制御装置３０側を向いているときは（ステップＳ５０７；Ｎｏ）、携帯端末１０に対して、受信要求を含む通信要求（受信要求情報）を送信する（ステップＳ５２１）。その後、携帯端末１０へデータを送信するための準備を行い（ステップＳ５２２）、制御装置３０から携帯端末１０へデータを送信する（ステップＳ５２３）。
【０１１４】
送信開始後、通信の進捗状況を表示する表示設定が成されているか否かを調べ(ステップＳ５２４)、表示設定がなされていない場合は(ステップＳ５２４；Ｎｏ)、一旦処理を終了する(ステップＳ５３０)。表示設定がなされている場合は(ステップＳ５２４；Ｙｅｓ)、通信の進捗状況の表示要求を携帯端末１０に対して送信して（ステップＳ５２５）、一旦処理を終了する(ステップＳ５３０)。
【０１１５】
このように、上記タイプ１およびタイプ２の動作では、携帯端末１０の姿勢、すなわち、携帯端末１０の表面が制御装置３０側を向いている場合は携帯端末１０から制御装置３０へデータを送信する送信モードになり、携帯端末１０の裏面が制御装置３０を向いているときは制御装置３０から送信されるデータを携帯端末１０で受信する受信モードになるので、送受信を切り替えるための特別の操作なしにユーザの送受信の意図を確認でき、操作性が向上する。また、表示部１１に表示されているデータを送るときにそのデータの表示されている表示部１１を相手機側に向けることは人間の感性に沿った動作なので、ユーザの意図をする動作を、自然な動作に基づいて送受信を区別することができる。
【０１１６】
また、送信モードでは、携帯端末１０の表示部１１が制御装置３０側を向いているのでユーザは表示部１１を見ることができないが、制御装置３０の表示部３１に送信状況等を表示するので、制御装置３０が送受信の区別を的確に認識して処理しているかどうかを携帯端末１０のユーザは容易に確認することができ、送受信の失敗を減らすことができる。また、制御装置３０の表示部３１に送信内容や送信の完了を表示するので、携帯端末１０には送信完了を表示する必要がなく、携帯端末１０側で送信完了を確認しなくて済み、通信手順を簡略化することができる。
【０１１７】
また受信モードでは、携帯端末１０の表示部１１が携帯端末１０のユーザ側を向いているので、受信内容な受信完了などの状況を表示部１１に表示することで、ユーザは受信内容や受信状況をリアルタイムにかつ容易に確認することができる。
【０１１８】
また、所定距離内に近づくという動作を契機に送受信動作を開始するタイプ２では、ユーザのデータ送受信の意図をより正確に判断することができる。
【０１１９】
＜タイプ３＞
タイプ３は、携帯端末１０に設けたスイッチ操作によって送受信を区別し、携帯端末１０を制御装置３０に近づける動作を起因に通信を開始するタイプの動作である。
【０１２０】
図１０は、タイプ３における携帯端末１０の動作を示す流れ図である。この処理は、ステップＳ６０５からステップＳ６０１に戻って繰り返し実行される。
【０１２１】
携帯端末１０は、送信モードとするか受信モードとするかを指定するためのスイッチを有している。携帯端末１０は、このスイッチの変化を検出すると（ステップＳ６０２；Ｙｅｓ）、変化後のスイッチの状態を示すＳＷデータを収集し(ステップＳ６０３)、このＳＷデータ変化を制御装置３０に送信し通知して（ステップＳ６０４）、一旦処理を終了する（ステップＳ６０５）。
【０１２２】
スイッチの変化が検出されない場合は(ステップＳ６０２；Ｎｏ)、制御装置３０からＳＷ変化要求を受信したか否かを調べる(ステップＳ６１１)。ＳＷ変化要求を受信した場合は(ステップＳ６１１；Ｙｅｓ)、現在のスイッチの状態（ＳＷデータ変化）を制御装置３０に通知して(ステップＳ６１２)
、一旦処理を終了する（ステップＳ６０５）。
【０１２３】
制御装置３０からＳＷ変化要求を受信しない場合は(ステップＳ６１１；Ｎｏ)、制御装置３０から通信要求があったか否かをチェックする(ステップＳ６２１)。通信要求があった場合は(ステップＳ６２１；Ｙｅｓ)、その通信要求が送信要求か否かを調べる(ステップＳ６２２)。送信要求であった場合は（ステップＳ６２２；Ｙｅｓ）、送信対象のデータを準備し(ステップＳ６２３)、準備完了後にそのデータを制御装置３０に対して送信して（ステップＳ６２４）、一旦処理を終了する（ステップＳ６０５）。
【０１２４】
受信要求であった場合は(ステップＳ６２２；Ｎｏ)、データの受信準備をする(ステップＳ６３１)。そして、制御装置３０からのデータを受信して(ステップＳ６３２)、一旦処理を終了する（ステップＳ６０５）。
【０１２５】
通信要求が無い場合は（ステップＳ６２１；Ｎｏ）、表示要求の受信を確認し（ステップＳ６４１）、表示要求を受信しなければ(ステップＳ６４１；Ｎｏ)、一旦処理を終了する(ステップＳ６０５)。
【０１２６】
表示要求を受信した場合は(ステップＳ６４１；Ｙｅｓ)、受信データの途中状況（図５の表示６２）を携帯端末１０の表示部１１に表示して、一旦処理を終了する(ステップＳ６０５)。
【０１２７】
なお、表示要求の有無にかかわらず。データ受信準備を開始する際に携帯端末１０の表示部１１に、認識した通信モード（受信モード）の通知６１（図５参照）を表示し、受信完了時には表示部１１に受信完了の通知６３を表示する。
【０１２８】
図１１は、タイプ３の場合における制御装置３０の動作の流れを示している。この処理は、ステップＳ６８０からステップＳ６５１に戻って繰り返し実行される。
【０１２９】
制御装置３０は、制御装置３０と携帯端末１０との距離が近づいているか否かを調べ（ステップＳ６５２）、距離が近づいていない場合は(ステップＳ６５２；Ｎｏ)、ステップＳ６８０へ移行して一旦処理を終了する。
【０１３０】
距離が近づいている場合は(ステップＳ６５２；Ｙｅｓ)、距離検知部３４から携帯端末１０と制御装置３０との間の距離を示す距離データを入手する（ステップＳ６５３）。さらに、携帯端末１０からＳＷデータ変化通知が送られて来たか否かをチェックし(ステップＳ６５４)、ＳＷデータ変化通知が送られて来ない場合は(ステップＳ６５４；Ｎｏ)、ステップＳ６５６へ移行する。
【０１３１】
ＳＷデータ変化通知が送られて来た場合は(ステップＳ６５４；Ｙｅｓ)、ＳＷ変化要求を携帯端末１０に対して送信し、その携帯端末１０からスイッチの状態を示す情報を入手し、これを現在のスイッチ状態として登録し（ステップＳ６５５）、ステップＳ６５６へ移行する。
【０１３２】
ステップＳ６５６では、ステップＳ６５３で入手した距離データが、予め設定されている送受信開始判断距離（たとえば２０ｃｍ）以下であるか否かを調べる。送受信開始判断距離以下でない場合は（ステップＳ６５６；Ｎｏ）、一旦処理を終了する（ステップＳ６８０）。
【０１３３】
距離データが送受信開始判断距離以下の場合は(ステップＳ６５６；Ｙｅｓ)、登録されている携帯端末１０の現在のスイッチ状態が送信モード（送信ＳＷ）か否かを判断する(ステップＳ６５７)。
【０１３４】
送信モード（送信ＳＷ）の場合は（ステップＳ６５７；Ｙｅｓ）、通信モードを送信モードとし、携帯端末１０に対して送信要求を含む通信要求（送信要求情報）を送信する（ステップＳ６５８）。その後、携帯端末１０からのデータを受信するための準備を行い（ステップＳ６５９）、携帯端末１０からのデータを受信する（ステップＳ６６０）。
【０１３５】
この受信の開始時に表示設定の内容を確認し(ステップＳ６６１)、通信の進捗状況を表示する表示設定が成されていない場合は(ステップＳ６６１；Ｎｏ)、受信が完了すると、一旦処理を終了する(ステップＳ６８０)。通信の進捗状況を表示する表示設定が成されている場合は（ステップＳ６６１；Ｙｅｓ）、受信データの途中状況（図４の表示５２）を制御装置３０の表示部３１に表示し（ステップＳ６６２）、受信が完了すると、一旦処理を終了する(ステップＳ６８０)。なお、表示設定の有無にかかわらず、データ受信準備を開始する際に制御装置３０の表示部３１に、制御装置３０で認識した通信モードが送信モードである旨の通知５１（図４参照）を表示し、また携帯端末１０からのデータの受信完了時には表示部３１に送信完了の通知５３を表示する。
【０１３６】
携帯端末１０の現在のスイッチ状態が受信モード（受信ＳＷ）の場合は（ステップＳ６５７；Ｎｏ）、携帯端末１０に対して、受信要求を含む通信要求（受信要求情報）を送信する（ステップＳ６７１）。その後、携帯端末１０へデータを送信するための準備を行い（ステップＳ６７２）、制御装置３０から携帯端末１０へデータを送信する（ステップＳ６７３）。
【０１３７】
送信開始後、通信の進捗状況を表示する表示設定が成されているか否かを調べ(ステップＳ６７４)、表示設定がなされていない場合は(ステップＳ６７４；Ｎｏ)、一旦処理を終了する(ステップＳ６８０)。表示設定がなされている場合は(ステップＳ６７４；Ｙｅｓ)、通信の進捗状況の表示要求を携帯端末１０に対して送信して（ステップＳ６７５）、一旦処理を終了する(ステップＳ６８０)。
【０１３８】
このように、上記タイプ３の動作では、携帯端末１０のスイッチ操作によって送受信を区別し、携帯端末１０が制御装置３０に一定以上近づいた場合に通信を開始する。所定距離内に近づくという動作を契機に送受信動作を開始するので、ユーザの通信開始の意図をユーザの自然な動作を通じて確認することができる。
【０１３９】
また、送信モードでは、制御装置３０の表示部３１に送信状況等を表示するので、制御装置３０が送受信の区別を的確に認識して処理しているかどうかを携帯端末１０のユーザは容易に確認することができ、送受信の失敗を減らすことができる。また、制御装置３０の表示部３１に送信内容や送信の完了を表示するので、携帯端末１０には送信完了を表示する必要がなく、携帯端末１０側で送信完了を確認する必要がなく、通信手順を簡略化することができる。
【０１４０】
また受信モードでは、携帯端末１０の表示部１１に受信内容や受信完了などの状況を表示することで、ユーザは受信内容や受信状況をリアルタイムにかつ容易に確認することができる。
【０１４１】
次に、姿勢検知の変形例を示す。
【０１４２】
姿勢検知部１４は、携帯端末１０に搭載されたカメラが撮影する画像を解析することで携帯端末１０の姿勢を検知してよい。たとえば、携帯端末１０の表面に該表面が臨む方向を撮影するカメラを搭載しておき、このカメラの撮影画像に制御装置３０が写っている場合は、携帯端末１０の表面が制御装置３０を向いていると判断する。また、制御装置３０が写っていない場合、あるいはユーザが写っている場合は、携帯端末１０の裏面が制御装置３０側を向いていると判断する。また、制御装置３０に特別なマークを付しておけば、そのマークの有無で携帯端末１０の表面が制御装置３０側を向いているか否かを判断することができる。
【０１４３】
カメラは制御装置３０に搭載してもかまわない。制御装置３０に搭載した場合、テーブル２の全周を撮影範囲とすることが望ましい。近くに写っている携帯端末１０がある場合に、その携帯端末１０の表面が写っているか裏面が写っているかを画像形成によって判別すればよい。また、携帯端末１０に表面と裏面の少なくとも一方に特別な識別マークを付けておれば、そのマークの有無で表裏を判断することができる。
【０１４４】
次に、本発明の第２の実施の形態について説明する。
【０１４５】
第１の実施の形態では、携帯端末１０と制御装置３０との間でデータ通信を行う電子会議システム５を例に説明したが、電子会議システム５に限らず、携帯端末１０と任意の相手機との間でデータを通信する場合にも本発明は適用される。第２の実施の形態は、２台の携帯端末１０間でデータを送受信する場合である。
【０１４６】
第２の実施の形態に係る携帯端末１０の構成は第１の実施の形態と同一である。
【０１４７】
携帯端末１０は、自機の姿勢から自機の表面が相手機（他方の携帯端末１０）を向いているか否かを判別し、自機の表面が相手機側を向いているときは、自機と相手機との間の通信モードを、自機から相手機へデータを送信する送信モードにする。一方、自機の裏面が相手機側を向いているときは、自機と相手機との間の通信モードを、相手機からのデータを自機が受信する受信モードにする。
【０１４８】
自機の表面が相手機側を向いているか否かは、たとえば、携帯端末１０の表面にカメラを搭載した場合は、前述のようにそのカメラの撮影画像に相手機が写っているか否かによって判別することができる。この場合、携帯端末１０を相手機の一定距離範囲内に近づけることを通信の開始の契機としてもよいし、たとえば、通信開始スイッチの操作を通信開始の契機としてもよい。
【０１４９】
また、通信するときは携帯端末１０を相手機に一定以上のスピードで近づけるという使い方を規定する場合においては、一定以上のスピードで自機が移動した場合の移動方向を加速度計などで検出して自機の移動方向を認識する。そして、その認識した移動方向が自機の表面の臨む方向の場合は、自機の表面が相手機側を向いていると判断することができ、検出された移動方向が自機の裏面が臨む方向の場合は、裏面が相手機側を向いていると判断することができる。
【０１５０】
図１２は、送信モードの場合の通信手順を示している。ここでは、携帯端末Ａから携帯端末Ｂにデータを送信するものとする。携帯端末Ａは、通信開始の契機となる事象（スイッチ操作や一定以上のスピードでの移動）が発生すると（ステップＳ７０１）、自機の姿勢から送信モードと受信モードを判別する（ステップＳ７０２）。送信モードと判別したときは（ステップＳ７０３）、相手機（携帯端末）Ｂに対してデータの受信要求を送信する（ステップＳ７０４）。
【０１５１】
携帯端末Ｂは携帯端末Ａから受信要求を受信すると（ステップＳ７１１）、携帯端末Ａからのデータを受信するための準備を整え、受信準備が完了すると、受信準備完了通知を携帯端末Ａに対して送信する（ステップＳ７１２）。
【０１５２】
受信準備完了通知を受けた携帯端末Ａは、送信すべきデータを携帯端末Ｂに対して送信して（ステップＳ７０５）処理を終了する。携帯端末Ｂは、携帯端末Ａから送られてくるデータを受信して（ステップＳ７１３）処理を終了する。
【０１５３】
図１３は受信モードの場合の通信手順を示している。図１２と同一処理には同一のステップ番号を付してある。携帯端末Ａは、通信開始の契機となる事象（スイッチ操作や一定以上のスピードでの移動）が発生すると（ステップＳ７０１）、自機の姿勢から送信モードと受信モードを判別する（ステップＳ７０２）。受信モードと判別したときは（ステップＳ７２３）、相手機（携帯端末）Ｂに対してデータの送信要求を送信すると共に、自機は相手機からのデータの受信を待つ体制に入る（ステップＳ７２４）。
【０１５４】
携帯端末Ｂは携帯端末Ａから送信要求を受信すると（ステップＳ７３１）、携帯端末Ａに送信すべきデータを整えて、そのデータを携帯端末Ａに対して送信し（ステップＳ７３２）、送信完了により処理を終了する。
【０１５５】
携帯端末Ａは、携帯端末Ｂから送られてくるデータを受信し（ステップＳ７２５）その受信が完了すると処理を終了する。
【０１５６】
このように、携帯端末１０同士の通信においても、姿勢に基づいて送受信を判別したり、近づく動作によって通信開始を認識したりして通信することができる。
【０１５７】
次に、携帯端末１０のスイッチによって送受信を区別し、相手機との距離によって通信開始を認識する場合について説明する。
【０１５８】
この場合、携帯端末１０に、第１の実施の形態の制御装置３０に設けた距離検知部３４を搭載する。そして携帯端末１０が相手機との距離を認識し、一定距離以内に近づいたとき、通信開始タイミングと認識し、そのときのスイッチの状態により、送受信を区別する。区別した後の動作は、図１２、図１３の場合と同様であり、その説明は省略する。
【０１５９】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１６０】
実施の形態では、携帯端末１０の姿勢により送信と受信を識別するようにしたが、姿勢による通信モードの切り替えは、送受信に限定されるものではない。たとえば、携帯端末１０の姿勢が第１姿勢の場合のみ通信可能とし、その他の姿勢では通信禁止するといった形態でもかまわない。携帯端末１０の表面が相手機側を向いている場合は、送信モードとしそれ以外では通信禁止とする、あるいは、携帯端末１０の裏面が相手機側を向いている場合は受信モードとし、それ以外では通信禁止とする、といった制御でもかまわない。
【０１６１】
また、実施の形態では、携帯端末１０が相手機に近づく場合を例に説明したが、遠ざかることを通信開始の契機としてもよい。また、近づく、あるいは遠ざかるに対して、実施の形態では送受信開始判断距離を通信開始の加重要件としたが、これに代えてあるいはこれに加えて、所定スピード以上での近づくことあるいは遠ざかることを加重要件としてもよい。また、送信モードにおいては、携帯端末１０の表示部１１にデータが表示されていることを、送信モードでの通信開始の加重要件としてもよい。また、受信モードの場合は、携帯端末１０の表示部１１にデータが表示されていないことを、受信モードでの通信開始の加重要件としてもよい。
【０１６２】
実施の形態では、携帯端末１０の姿勢として、携帯端末１０の表面が相手機を向いている姿勢、裏面が相手機を向いている姿勢を例に説明したが、これらの姿勢に限定されるものではにない。表面が上を向いているか下を向いているか、といった姿勢でもかまわない。たとえば、表面が下を向いているとき送信モードとし、上を向いているとき受信モードとすればよい。
【０１６３】
実施の形態では、制御装置３０の表示部３１に図４の通信状況を表示したが、該通信状況は制御装置に接続される他の表示部に表示してもよいし、共有表示装置７に表示してもよい。
【符号の説明】
【０１６４】
２…テーブル
５…電子会議システム
７…共有表示装置
１０…携帯端末
１１…表示部
１２…操作入力部
１３…通信部
１４…姿勢検知部
１５…外部メモリ接続部
１６…制御部
１７…ＣＰＵ
１８…ＦｌａｓｈＲＯＭ
１９…メモリ
３０…制御装置
３１…表示部
３２…操作入力部
３３…通信部
３４…距離検知部
３５…外部メモリ接続部
３６…表示制御部
３７…制御部
３８…ＣＰＵ
３９…ＦｌａｓｈＲＯＭ
４０…メモリ
５１…認識した通信モード（送信モード）の通知
５２…送信途中の画像データの表示
５３…送信完了の通知
６１…認識した通信モード（受信モード）の通知
６２…通信の進捗状況として受信途中の画像データの表示
６３…受信完了の通知
【図１】
2013012963.tif 000003
【図２】
2013012963.tif 000004
【図３】
2013012963.tif 000005
【図４】
2013012963.tif 000006
【図５】
2013012963.tif 000007
【図６】
2013012963.tif 000008
【図７】
2013012963.tif 000009
【図８】
2013012963.tif 000010
【図９】
2013012963.tif 000011
【図１０】
2013012963.tif 000012
【図１１】
2013012963.tif 000013
【図１２】
2013012963.tif 000014
【図１３】
2013012963.tif 000015